(57)【要約】  【課題】  緩衝体の数が増加することがなく、少ない種類の包装用緩衝体によって物品を外部からの衝撃から保護するようにした段ボール製の包装用緩衝体を提供する。  【解決手段】  段ボール１０を切断線１７と半切線１８とによって板状部１１〜１６が互いに交互にジグザグになるように折曲げる。そして折曲げ線３４、４０、３８によって折曲げることによって、互いに直交する細長い受け面５５、５６と、これらの受け面５５、５６の長さ方向の端部に位置し、受け面５５、５６と直角な受け面５７、５８を有する包装用緩衝体６０を組立て、物品の底部側の稜線の部分を折曲げ線３４と整合する位置において受ける。【選択図】  図８
2005271975.tif 000002
【特許請求の範囲】
【請求項１】
段ボールの段目の方向と交差する切断線と半切線とを前記段目の方向に沿って交互に形成するとともに、前記切断線に部分的に連結部を形成し、前記切断線と前記半切線のところで交互に逆方向に折畳んで組立てられる包装用緩衝体において、
前記折畳まれた段ボールを前記切断線および前記半切線とほぼ平行な折曲げ線のところでほぼ直角に折曲げて互いに直交する２つの受け面を形成し、しかも一方の受け面の前記折曲げ線の端部と対応する部位を直角に折曲げ、他方の受け面と係合させることを特徴とする包装用緩衝体。
【請求項２】
前記一方の受け面の前記折曲げ線の端部と対応する部位の折曲げられると他方の受け面と接する位置に突部を形成し、該突部を前記他方の受け面の係合孔と係合させることを特徴とする請求項１に記載の包装用緩衝体。
【請求項３】
前記他方の受け面の前記折曲げ線の端部と対応する部位をほぼ１８０度折曲げて前記一方の受け面の直角に折曲げられた部位を背面から受けることを特徴とする請求項１に記載の包装用緩衝体。
【請求項４】
前記直交する２つの受け面を形成するための折曲げ線に臨んで切込みを形成し、該切込みによって背面側に突出する突片を形成することを特徴とする請求項１に記載の包装用緩衝体。
【請求項５】
前記折曲げ線が緩衝される物品の角の稜線と整合するとともに、前記稜線の両側の面を前記２つの受け面で受けることを特徴とする請求項１に記載の包装用緩衝体。
【請求項６】
包装箱の底部において互いに対向する両側に配され、物品の底部の互いに対向する両側の稜線を受けることを特徴とする請求項５に記載の包装用緩衝体。
【発明の詳細な説明】
【技術分野】
【０００１】
本発明は包装用緩衝体に係り、とくに段ボールを折畳んで組立てられる包装用緩衝体に関する。
【背景技術】
【０００２】
各種の物品を梱包して物流に供する際に、物流段階において外部からの力によって物品が衝撃を受けて破損する可能性がある。そこで従来より各種の物品を物流に供する際には、これらの物品を包装箱に収納している。そして包装箱と物品との間の隙間の部分に発泡スチロール樹脂の緩衝体を配し、外部からの衝撃を上記緩衝体によって吸収し、これによって物品を衝撃から保護するようにしている。
【０００３】
従来のこのような発泡スチロール樹脂を用いた緩衝体は、使用後に廃棄した場合に、自然崩壊性を有していないために、そのままの状態で長期間にわたって残存し、廃棄物公害の原因となる。焼却処分を行なうと、発泡スチロール樹脂の緩衝体が高熱を発して炉を損傷したり、あるいはまた黒煙を発して大気汚染の原因になる。このような環境上の問題から、発泡スチロール樹脂の緩衝体の使用が制限される傾向にある。
【０００４】
そこで自然崩壊性を有する段ボールを用いて緩衝体を組立てることが提案されている。段ボールはセルロースを原料とするものであるために、廃棄してもやがてバクテリヤによって分解されて水と炭酸ガスとになり、環境破壊の原因にはならない。また水で分解して再生することができ、リサイクル可能であることから、資源の有効利用につながる。
【０００５】
ところが段ボールから成る緩衝体は、任意の形状に形成することが困難である。すなわち発泡スチロール樹脂から成る緩衝体は、その発泡成形の際に用いる金型のキャビティの形状によって任意の緩衝体を得ることが可能になる。ところが段ボールから成る緩衝体は、平面状をなす段ボールを折畳んで組立てるために、複雑な形状に形成することができない。従って複数の緩衝体を段ボールによって別々に製作するとともに、これらを互いに組合わせることによって複雑な形態の構造に対応している。
【０００６】
従ってこのような複数の段ボールから成る緩衝体の組立て体は、部品点数が増加するとともに、組立ての工数を要し、これによって緩衝体のコストが増大する欠点がある。
【０００７】
またこのような段ボール製の緩衝体は、使用する部位に応じて対応する形状に組立てることを要し、汎用性に欠ける欠点があった。従って使用する部位に応じて多種類の包装用緩衝体をそれぞれ組立てなければならなかった。また従来の段ボール製の包装用緩衝体は、物品の角のコーナの部分等に配するために、それぞれ別々の小さな緩衝体を組立てることを要し、これによってそれぞれの緩衝体が比較的小さな寸法になるとともに、十分な緩衝効果が得られない欠点があった。
【０００８】
また物品を緩衝した状態で包装する場合には、単一の緩衝体では足りず、複数の緩衝体を必要とする。従って複数の緩衝体を互いに別々に段ボールによって打抜いて折畳んで組立てるようにすると、緩衝体の種類が非常に増加するとともに、それらの複数の種類の緩衝体の管理が面倒になり、場合によっては装着する際に誤って別の緩衝体を装着する可能性がある。
【特許文献１】特開平６−７１４７４号公報
【特許文献２】特開平３−１１４７７０号公報
【特許文献３】特開平８−２５５８号公報
【特許文献４】特開平８−３０１２７号公報
【発明の開示】
【発明が解決しようとする課題】
【０００９】
本願発明の課題は、包装用緩衝体が汎用性を有し、特定の物品あるいはその特定の位置のみにしか使用することができない汎用性の欠如を回避することである。
【００１０】
本願発明の別の課題は、多数種類の緩衝体を用意することなく、少ない種類の緩衝体によって物品の緩衝を行なうことを可能にすることである。
【００１１】
本願発明のさらに別の課題は、個々の緩衝体の寸法が小さくなることによってその緩衝効果が低下することを防止し、十分な緩衝効果を有する緩衝体によって物品を緩衝することである。
【課題を解決するための手段】
【００１２】
本願の主要な発明は、段ボールの段目の方向と交差する切断線と半切線とを前記段目の方向に沿って交互に形成するとともに、前記切断線に部分的に連結部を形成し、前記切断線と前記半切線のところで交互に逆方向に折畳んで組立てられる包装用緩衝体において、
前記折畳まれた段ボールを前記切断線および前記半切線とほぼ平行な折曲げ線のところでほぼ直角に折曲げて互いに直交する２つの受け面を形成し、しかも一方の受け面の前記折曲げ線の端部と対応する部位を直角に折曲げ、他方の受け面と係合させることを特徴とする包装用緩衝体に関するものである。
【００１３】
ここで前記一方の受け面の前記折曲げ線の端部と対応する部位の折曲げられると他方の受け面と接する位置に突部を形成し、該突部を前記他方の受け面の係合孔と係合させることが好ましい。また前記他方の受け面の前記折曲げ線の端部と対応する部位をほぼ１８０度折曲げて前記一方の受け面の直角に折曲げられた部位を背面から受けることが好ましい。また前記直交する２つの受け面を形成するための折曲げ線に臨んで切込みを形成し、該切込みによって背面側に突出する突片を形成することが好ましい。また前記折曲げ線が緩衝される物品の角の稜線と整合するとともに、前記稜線の両側の面を前記２つの受け面で受けることが好ましい。また包装箱の底部において互いに対向する両側に配され、物品の底部の互いに対向する両側の稜線を受けることが好ましい。
【発明の効果】
【００１４】
本願の主要な発明によれば、折畳まれた段ボールを切断線および半切線とほぼ平行な折曲げ線のところでほぼ直角に折曲げて互いに直交する２つの受け面を形成し、しかも一方の受け面の折曲げ線の端部と対応する部位を直角に折曲げ、他方の受け面と係合させるようにしたものである。従って互いに直交する２つの受け面を有するとともに、折曲げ線の端部と対応する位置にさらに上記２つの受け面と直交する第３の受け面が形成される。ここで折曲げ線の両側の端部をそれぞれ直角に折曲げることによって、折曲げ線の両端と対応する部位にそれぞれ受け面が形成され、４つの受け面を有する段ボール製の包装用緩衝体が得られる。
【００１５】
このような包装用緩衝体は、物品の角の稜線の部分を上記折曲げ線と整合するように組合わせるとともに、稜線の両端の直角な面を折曲げ線の端部の受け面で受けることによって、物品を安定に保持することができる。従ってこのような包装用緩衝体を包装箱の底部においてその互いに対向する両側に配することにより、一対の包装用緩衝体によって物品の底部を安定的に緩衝しながら保持することが可能になる。
【発明を実施するための最良の形態】
【００１６】
図１は本実施の形態に係る包装用緩衝体を組立てるための段ボール１０を展開して示したものであって、この段ボール１０は図１において縦方向であって段目の方向に配される板状部１１、１２、１３、１４、１５、１６を備え、これらの板状部１１〜１６が互いに交互に形成されている切断線１７と半切線１８とを介して互いに連結されている。
【００１７】
半切線１８と交互に形成される切断線１７には、間欠的に図２に示すような連結部２２が形成される。連結部２２には両側の切込み２１によって切断線１７を遮断して形成される。なお切込み２１の長さ方向の端部は互いに離間する方向に屈曲している。また上記連結部２２の延長位置にはそれぞれ切込み２３が形成される。
【００１８】
これに対して切断線１７と交互に形成される半切線１８は図３に示すように、段ボール１０の両側のライナ２５、２６の内の一方のライナ２５のみを残して切断した線である。ライナ２５、２６はジグザグであって段目を構成する中芯２７を挟んでその両側に接合されており、半切線１８の位置においてはライナ２５のみが残存してライナ２６と中芯２７とが切断される。
【００１９】
板状体１１〜１５には図１に示すように、上記切断線１７および半切線１８とほぼ平行にこれらの板状体１１〜１６の中間位置を横切るように折曲げ用切断線３２が形成される。これらの切断線３２はその中間位置に２つの切込み３３を備えている。また端部の板状部１６には上記切断線３２と対応する位置に折曲げ線３４が形成される。そしてこの折曲げ線３４には他の板状部１１〜１５の切込み３３と整合する位置に切込み３３が形成される。
【００２０】
板状部１１〜１５の切断線３２に対して一方の左側には屈曲した切断線３５が形成される。これに対して板状部１６の屈曲した折曲げ線３４に対して一方の左側には屈曲した折曲げ線４０が形成される。また板状部１１〜１５の切断線３２に対して一方の側であって屈曲した切断線３５が形成される部位とは反対側の右側には真直ぐな切断線３６、３７がほぼ平行に形成される。これに対して板状部１６には上記切断線３６に対応する折曲げ線３８が形成される。また板状部１６の右端側であって折曲げ線３５に対して折曲げ線３８、４０が形成される側とは反対側には折曲げ線３９が形成される。折曲げ線３４、３８、３９は上記半切線１８と同様に中芯に対して一方のライナのみが切断された折曲げ線である。
【００２１】
板状部１１〜１５の上記切断線３２に対して切断線３５が形成される側とは反対側にはその左端に屈曲した切断線４３が形成される。また板状体１１〜１６の同じ側には矩形の開口４４が形成される。これらの開口４４は互いに整合する位置に設けられる。また上記開口４４のコーナと接するように板状体１１〜１６の切断線３２あるいは折曲げ線３４に臨むように切込み４５が形成される。なお板状体１１には上記切込み４５に対応して切断線３２に対して反対側に切込み４６が形成される。この切込み４６はこの段ボール１０の厚さの２倍の深さを有している。そしてこのような切込み４６によって受入れられるように板状体１５、１６の側端にはそれぞれ突片４７が形成される。
【００２２】
以上のような構成に係る段ボール１０はその板状部１１〜１６の表面であって互いに重合わさせる部位に予め澱粉糊等の接着手段が塗布される。このような状態において図４に示すように、段ボール１０は切断線１７と半切線１８とによって互いに逆方向にジグザグに折畳まれる。そしてこの後に折畳まれた板状部１１〜１６を重合わせることによって、図５に示すように板状部１１〜１６が互いに接合される。
【００２３】
次に図５に示すように板状部１１〜１６を互いに接合して重合わせた接合体によって段ボールを組立てる動作を説明する。まず図６に示すように、板状体１１〜１６の接合体を切断線３２および折曲げ線３４によって互いに直角に折曲げ、互いに直交する受け面５５、５６を形成する。なおこのときに矩形の切込み３３によって折曲げ線３４に沿って一対の突片５０が形成され、これらの突片５０が背面側に突出する。また切断線３２および折曲げ線３４によって折曲げることによって、垂直な受け面５６が形成される側の端部に突部５１が下方に突出して形成される。なおこのときに受け面５５が形成される側の左端の除去片５３を除去し、受け面５６が形成される側の右端の部分を除去片５４として除去する。
【００２４】
次に受け面５６が形成される側の折曲げ線４０よりも先端側の部分であって受け面５７を構成する部分を図７に示すように直角に折曲げ、受け面５５を構成する部位の側端の切込み５９内に突片４９を係合させる。また受け面５６が形成される部位の右端側の部分を折曲げ線３８のところで直角に折曲げ、受け面５８を構成する部位の下端の突片５１を受け面５５上に形成されている矩形の開口４４に係合させる。さらに受け面５５の右端であって折曲げ線３９が形成される部位を折曲げ線３９を中心として１８０度折曲げ、折返し部分６２の先端側の突片４７を切込み４６と係合させて保持する。
【００２５】
これによって受け面５５、５６、５７、５８を有する包装用緩衝体６０が得られる。すなわちこの緩衝体は、受け面５５、５６、５７が互いに直交し、受け面５５、５６、５８が互いに直交し、受け面５７、５８が互いに平行な関係にある。そしてこのような緩衝体は、物品の底部であってその１つの稜線の部分を折曲げ線３４とほぼ整合するように受けた状態で物品を緩衝するようになっている。
【００２６】
図８および図９はこのような緩衝体６０によってパソコン用のモニタテレビ６３を収納保持する状態を示しており、モニタテレビ６３のキャビネット６４の前面側であってスクリーン面側の両側の稜線の部分を互いに対向するように配された一対の包装用緩衝体６０の受け面５５、５６によって受けるようにしている。すなわちキャビネット６４の稜線部分が折曲げ線３４と整合するようにして受けられる。そしてこのときにキャビネット６４の稜線の両側に位置する垂直面を受け面５７、５８で受けることになる。
【００２７】
図９および図１０はこのような包装用緩衝体６０によってモニタテレビ６３のキャビネット６４の両側端を受けるとともに、さらにキャビネット６４の背面側を別のもう１つの包装用緩衝体６１によって押えた状態で段ボール箱６６に収納した状態を示している。このような包装形態によれば、モニタテレビ６３の荷重の大部分を底部であって両側に配された一対の包装用緩衝体６０によって受けながら緩衝することができる。従って外部からの衝撃が段ボール６６に加わっても、この衝撃が包装用緩衝体６０によって緩衝されてモニタテレビ６３が保護されることになる。なお上側の包装用緩衝体６１はこのような段ボール箱６６を何段にも積んだときに、この段ボール箱６６の上部が押潰されないようにする効果がある。
【００２８】
またこのような包装用緩衝体６０は、その一方の端部に折返し部分６２が設けられており、この折返し部分６２によって形成される空間内に、図１０に示すように支持脚６８のベース６９を受入れることができる。すなわち底部側にベース６９を備える支持脚６８を備えるモニタテレビ６３を収納して梱包することが可能になる。
【００２９】
次に別の実施の形態を図１１〜図１３によって説明する。この実施の形態の包装用緩衝体を組立てるための段ボール１０は、図１１に示すように、６枚の板状部１１〜１６によって構成され、これらが互いに半切線１８と切断線１７とによって交互に連結され、これによって段目の方向に連結された単一のシート状の段ボール１０になっている。なお半切線１８および切断線１７の構成は、上記の第１の実施の形態と同様である。
【００３０】
板状部１１、１３、１５は、その幅方向のほぼ中央部に段目と直交するように切断線３２が形成されるとともに、この切断線３２を横切るように一対の切込み３３が形成され、さらに上記切断線３２に対してその両側において互いに連続する開口を形成するように切込み４５、４６が形成される。しかも切込み４５と近接するように開口４４が形成される。なお板状部１３、１５については、切込み４５のみが形成され、切込み４６および開口は形成されない。またこれらの板状部１１、１３、１５は、上記切断線３２と直交するように切断線３６、３７が図１１において左端側と右端側の両側に形成される。
【００３１】
また板状部１２、１４については、その幅方向のほぼ中間部を横切るように切断線３２が形成されるとともに、この切断線３２に臨むように切込み４５が形成され、この切込み４５と近接して矩形の開口４４が形成される。また切断線３２に対して一方の側であって半切線１８側には左右にそれぞれ切断線３６、３７が平行に形成される。これに対して切断線３２の反対側であって切断線１７側の部分には左右に切断線３７のみが形成される。
【００３２】
図１１において下端側の板状部１６はその幅方向の中間位置に段目と直交する方向の折曲げ線３４が形成され、この折曲げ線３４に２つの切込み３３が形成される。また切込み３４の左右の延長位置の切断線３２に臨むように切込み４５が形成され、しかもこの切込み４５と近接して左右に矩形の開口４４が形成される。また折曲げ線３４に対して図１１において下端側の部分には、上記切断線３７の延長上に左右に折曲げ線３９が形成され、この折曲げ線３９の中間部が切込み４１になっている。
【００３３】
このような段ボール１０によって、図１２および図１３に示すようにして包装用緩衝体が組立てられる。すなわち切断線１７と半切線１８のところで交互に互いに逆方向に折曲げるとともに、これらを接合する。そして板状部１６の折曲げ線３４のところでその両側を図１２に示すように互いに直角に折曲げるとともに、直立する受け面５６の両端の部分の受け面５７、５８を折曲げ線３８によって直角に折曲げる。そして受け面５７、５８の下端の突部５１を反対側の水平な受け面５５の両側の矩形の開口４４に挿入する。そしてこの後に水平な受け面５５の長さ方向の両端であって折曲げ線３９よりも先端側の折返し部分６２を折曲げ線３９のところで１８０度内側に折曲げ、その先端部を図１３に示すように直立する受け面５７、５８の背面側に当接させる。このときに突片４７を板状部１１の切込み４６によって形成される凹部に係合させる。
【００３４】
このような実施の形態の緩衝体の特徴は、組立るための段ボール１０が図１１に示すように左右対称になっており、このために図１２および図１３に示すように、組立てられる緩衝体はその受け面５５、５６の長さ方向の両端の構造が全く同じになり、受け面５５、５６に対してその左右両端の形状を左右対称にできるようになる。従ってとくに被梱包物の側端部を受ける２つの受け面５７、５８の緩衝効果がほぼ同じくなる特徴を発揮する。
【００３５】
このような構成によれば、受け面５５、５６によって被梱包物の水平面と垂直面とをそれぞれ受けることができる。また被梱包物の側端部を２つの受け面５５、５６と直交する受け面５７、５８で受けることが可能になる。しかも両側の受け面５８がその背面側から受け面５５の両端側であって折曲げ線３９の先端側の折返し部分６２によって受けられるために、この受け面５８が安定に保持される。
【００３６】
以上本願に含まれる発明を図示の実施の形態によって説明したが、本願に含まれる発明は上記実施の形態によって限定されることなく、本願に含まれる発明の技術的思想の範囲内で各種の変更が可能である。例えば包装用緩衝体６０の受け面５５、５６の折曲げ線３４に沿う方向の長さや折曲げ線３４と直交する方向の幅については保護すべき物品の寸法や形状に応じて任意に変更可能である。またこのような包装用緩衝体によって保護される物品は、上記のモニタテレビに限定されることなく、各種の物品に広く適用可能である。
【産業上の利用可能性】
【００３７】
本願発明に係る包装用緩衝体は、物流に供された各種の物品を衝撃から保護するために広く利用可能である。
【図面の簡単な説明】
【００３８】
【図１】包装用緩衝体を構成する段ボールの展開平面図である。
【図２】同段ボールに形成される切断線の連結部の構造を示す拡大平面図である。
【図３】同段ボールに形成される半切線の拡大縦断面図である。
【図４】同段ボールをジクザグに折畳んだ状態の外観斜視図である。
【図５】同段ボールを折畳んで接合した状態の外観斜視図である。
【図６】同段ボールを用いて包装用緩衝体を組立てる動作を示す要部斜視図である。
【図７】組立てられた包装用緩衝体の外観斜視図である。
【図８】包装用緩衝体によってモニタテレビを梱包する動作を示す要部斜視図である。
【図９】モニタテレビを包装用緩衝体によって緩衝しながら収納した段ボール箱の縦断面図である。
【図１０】同段ボール箱の水平方向の横断面図である。
【図１１】別の実施の形態の段ボールの展開平面図である。
【図１２】同段ボールの組立て動作を示す要部斜視図である。
【図１３】組立てられた段ボールの外観斜視図である。
【符号の説明】
【００３９】
１０  段ボール
１１〜１６  板状部
１７  切断線
１８  半切線
２１  切込み
２２  連結部
２３  切込み
２５、２６  ライナ
２７  中芯
３２  切断線（折曲げ用）
３３  切込み
３４  折曲げ線
３５  屈曲した切断線
３６  切断線
３７  切断線
３８、３９、４０  折曲げ線
４３  屈曲した切断線
４４  矩形の開口
４５、４６  切込み
４７、４９、５０  突片
５１  突部
５２  パッド
５３、５４  除去片
５５〜５８  受け面
５９  切込み
６０、６１  包装用緩衝体
６２  折返し部分
６３  モニタテレビ
６４  キャビネット
６５  リヤカバー
６６  段ボール箱
６８  支持脚
６９  ベース
【図１】
2005271975.tif 000003
【図２】
2005271975.tif 000004
【図３】
2005271975.tif 000005
【図４】
2005271975.tif 000006
【図５】
2005271975.tif 000007
【図６】
2005271975.tif 000008
【図７】
2005271975.tif 000009
【図８】
2005271975.tif 000010
【図９】
2005271975.tif 000011
【図１０】
2005271975.tif 000012
【図１１】
2005271975.tif 000013
【図１２】
2005271975.tif 000014
【図１３】
2005271975.tif 000015